(57)【要約】【課題】  フレア光の影響による照明対象物に対する照明光量の変動を抑制し、フレア光の影響による画像読取の精度低下を抑制する。【解決手段】  直線状に配列されて照明対象物Ｄを照明する複数の点光源３２と、点光源３２から出射される光の出射方向前方に配置されて点光源３２から出射された光を照明対象物Ｄに向けてライン状に集光する集光体３３と、点光源３２側から照明対象物Ｄに向かう光路上に位置付けられて照明対象物Ｄからの照り返し光と照明対象物Ｄに向かうフレア光との少なくとも一方の進行を点光源３２の配列方向に沿った位置で規制する規制部３７とを具備する。照明対象物Ｄからの照り返し光と照明対象物Ｄに向かうフレア光との少なくとも一方の進行が規制部３７により規制されるので、この規制により照明対象物Ｄを照明するフレア光を低減させることができ、フレア光の影響による照明対象物Ｄに対する照明光量の変動を抑制できる。【選択図】    図４
2005198108.tif 000002
【特許請求の範囲】
【請求項１】
直線状に配列されて照明対象物を照明する光を出射する複数の点光源と、
前記点光源から出射される光の出射方向前方に配置され、前記点光源から出射された光を前記照明対象物に向けてライン状に集光する集光体と、
前記点光源側から前記照明対象物に向かう光路上に位置付けられ、前記照明対象物からの照り返し光と前記照明対象物に向かうフレア光との少なくとも一方の進行を前記点光源の配列方向に沿った位置で規制する規制部と、
を具備する照明装置。
【請求項２】
前記規制部は、前記集光体における前記点光源の配列方向に沿った位置に設けられた複数の遮光用溝である請求項１記載の照明装置。
【請求項３】
前記遮光用溝は、前記点光源の配列方向に対して直交する面内に設けられている請求項２記載の照明装置。
【請求項４】
前記遮光用溝は、前記点光源の配列方向に対して斜めに交差する面内に設けられている請求項２記載の照明装置。
【請求項５】
前記遮光用溝は、前記集光体における前記照明対象物に対向する面側に設けられている請求項３又は４記載の照明装置。
【請求項６】
前記遮光用溝は、前記集光体における前記点光源に対向する面側に設けられている請求項３又は４記載の照明装置。
【請求項７】
前記遮光用溝は、前記集光体における前記照明対象物に対向する面側と前記集光体における前記点光源に対向する面側とに設けられている請求項３又は４記載の照明装置。
【請求項８】
前記集光体における前記照明対象物に対向する面側に設けられた前記遮光用溝と前記集光体における前記点光源に対向する面側に設けられた前記遮光用溝とが前記点光源の配列方向に沿って位置をずらした異なる面内に設けられている請求項７記載の照明装置。
【請求項９】
前記規制部は、前記集光体内における前記点光源の配列方向に沿った位置に設けられた複数の遮光部材である請求項１記載の照明装置。
【請求項１０】
前記遮光部材は、前記点光源の配列方向に対して直交する面内に設けられている請求項９記載の照明装置。
【請求項１１】
前記遮光部材は、前記点光源の配列方向に対して斜めに交差する面内に設けられている請求項９記載の照明装置。
【請求項１２】
前記遮光部材は、一部が前記集光体から前記照明対象物側に向けて突出している請求項１０又は１１記載の照明装置。
【請求項１３】
前記規制部は、前記集光体内における前記点光源の配列方向に沿った位置に設けられた複数の粗し面部である請求項１記載の照明装置。
【請求項１４】
前記粗し面部は、前記点光源の配列方向に対して直交する面内に設けられている請求項１３記載の照明装置。
【請求項１５】
前記粗し面部は、前記点光源の配列方向に対して斜めに交差する面内に設けられている請求項１３記載の照明装置。
【請求項１６】
前記規制部は、前記集光体内における前記点光源の配列方向に沿った位置に設けられた複数の光吸収用塗装面部である請求項１記載の照明装置。
【請求項１７】
前記光吸収用塗装面部は、前記点光源の配列方向に対して直交する面内に設けられている請求項１６記載の照明装置。
【請求項１８】
前記光吸収用塗装面部は、前記点光源の配列方向に対して斜めに交差する面内に設けられている請求項１６記載の照明装置。
【請求項１９】
前記規制部は、前記集光体の前記照明対象物に対向する面上に位置付けられ、前記点光源の配列方向に沿って配列された複数のリブを有するリブ構造体である請求項１記載の照明装置。
【請求項２０】
前記リブは、前記点光源の配列方向に対して直交する面内に設けられている請求項１９記載の照明装置。
【請求項２１】
前記リブは、前記点光源の配列方向に対して斜めに交差する面内に設けられている請求項１９記載の照明装置。
【請求項２２】
前記リブ構造体は、前記集光体と一体化させて形成されている請求項２０又は２１記載の照明装置。
【請求項２３】
照明対象物である原稿を照明する請求項１ないし２２のいずれか一記載の照明装置と、
原稿からの反射光を読み取る光電変換素子と、
を具備する画像読取装置。
【請求項２４】
請求項２３記載の画像読取装置と、
この画像読取装置で読み取った画像データに応じて記録媒体上に画像を形成する画像形成部と、
を具備する画像形成装置。
【発明の詳細な説明】
【技術分野】
【０００１】
本発明は、照明装置、この照明装置を用いた画像読取装置及びこの画像読取装置を用いた画像形成装置に関する。
【背景技術】
【０００２】
従来、複写機などの画像形成装置に用いられる画像読取装置では、原稿を照明する照明装置として複数のＬＥＤ（点光源）を直線状に配列したものが知られている（例えば、特許文献１、２参照）。さらに、複数のＬＥＤを光源とした場合、照明対象物（原稿）におけるＬＥＤの配列方向の照度リップル（照度分布のムラ）の発生を抑制するため、照明対象物と点光源との間に透明樹脂やガラス等からなる集光体が配置されている。この集光体は、複数の点光源から出射されて円形に拡散される光を原稿の読取範囲に沿って直線状に集光するように反射させることにより、照度リップルの発生を抑制している。
【０００３】
【特許文献１】特開平７−１６２５８６号公報
【特許文献２】特開平１０−３２２５２１号公報
【発明の開示】
【発明が解決しようとする課題】
【０００４】
しかし、複数のＬＥＤと集光体とを設けた構造の照明装置では、照明対象物で反射された光（照り返し光）が集光体内に入り込み、照り返し光が集光体内で再反射されて再度照明対象物に向かう再反射光（フレア光）が発生する。このフレア光の光量は、照明対象物からの照り返し光が多いか少ないかによって変動し、フレア光の影響により、照明対象物を照明する照明光量が変動し、その結果として画像読取の精度低下という問題が発生している。
【０００５】
フレア光の影響による照明対象物に対する照明光量の変動、画像読取の精度低下のメカニズムについて、図１８及び図１９に基づいて説明する。図１８及び図１９において、基板１０１上に複数のＬＥＤ（点光源）１０２が直線状に配列され、ＬＥＤ１０２から出射された光が照明対象物である原稿Ｄに至る光路上に集光体１０３が配置されている。導光体１０３は、ＬＥＤ１０２の配列方向に沿った長尺状に形成されている。図１８（ｂ）、図１９（ｂ）は、ＬＥＤ１０２の配列方向と原稿Ｄとの位置関係を示したもので、矢印Ａ方向が原稿読取時の主走査方向、矢印Ｂ方向が原稿読取時の副走査方向である。また、図１８（ｂ）は原稿Ｄにおける主走査方向の全体が白色の場合であり、図１９（ｂ）は原稿Ｄにおける主走査方向が白色と黒色とが混在している場合である。
【０００６】
ここで、原稿Ｄの主走査方向の全体が図１９（ｂ）に示すように白色である場合について説明する。各ＬＥＤ１０２から出射された光は実線の矢印で示すように主走査方向に拡散されて集光体１０３内を進行し、原稿Ｄ上の主走査方向のａ、ｂ、ｃ領域を照明する。ａ、ｂ、ｃ領域はそれぞれ白色であるため、各領域の原稿Ｄからは破線で示すような照り返し光（反射光）が発生する。これらの照り返し光の一部は集光体１０３内に入り込み、集光体１０３内で再反射されて原稿Ｄに向かうフレア光となり、例えば、フレア光Ｆ１、Ｆ２により原稿Ｄのａ領域が照明される。
【０００７】
つぎに、原稿Ｄの主走査方向が図１９（ｂ）に示すように白色と黒色とが混在している場合について説明する。各ＬＥＤ１０２から出射された光は実線の矢印で示すように拡散されて集光体１０３内を進行し、原稿Ｄ上の主走査方向のａ、ｂ、ｃ領域を照明する。このとき、白色であるａ領域からは破線で示すような照り返し光が発生するが、黒色であるｂ、ｃ領域からは照り返し光が発生しない。このため、ａ領域では、ｂ、ｃ領域からの照り返し光が発生原因となるフレア光による照明は行われない。
【０００８】
即ち、図１８と図１９との場合において、原稿Ｄのａ領域は同じ白色でありながら、その周囲のｂ、ｃ領域が白色であるか黒色であるかの違いにより、照明される光量が異なり、読取結果に差が生じる。具体的には、図１８のａ領域は白色であると読み取られるのに対し、図１９のａ領域は白色であるにも拘わらず或る濃度を有する色であると読み取られ、コピー上では薄黒い色を呈することになる。
【０００９】
本発明の目的は、フレア光の影響による照明対象物に対する照明光量の変動を抑制し、フレア光の影響による画像読取の精度低下を抑制することである。
【課題を解決するための手段】
【００１０】
請求項１記載の発明の照明装置は、直線状に配列されて照明対象物を照明する光を出射する複数の点光源と、前記点光源から出射される光の出射方向前方に配置され、前記点光源から出射された光を前記照明対象物に向けてライン状に集光する集光体と、前記点光源側から前記照明対象物に向かう光路上に位置付けられ、前記照明対象物からの照り返し光と前記照明対象物に向かうフレア光との少なくとも一方の進行を前記点光源の配列方向に沿った位置で規制する規制部と、を具備する。
【００１１】
したがって、照明対象物からの照り返し光と照明対象物に向かうフレア光との少なくとも一方の進行が点光源の配列方向に沿った位置で規制部により規制され、この規制により照明対象物を照明するフレア光が低減され、フレア光の影響による照明対象物に対する照明光量の変動が抑制される。なお、フレア光を規制することによりフレア光が直接低減され、照り返し光を規制することによりこの照り返し光が反射されることにより発生するフレア光が間接的に低減される。
【００１２】
請求項２記載の発明は、請求項１記載の照明装置において、前記規制部は、前記集光体における前記点光源の配列方向に沿った位置に設けられた複数の遮光用溝である。
【００１３】
したがって、照明対象物からの照り返し光と照明対象物に向かうフレア光との少なくとも一方が遮光溝に当たることによりその進行が規制され、この規制により照明対象物を照明するフレア光が低減され、フレア光の影響による照明対象物に対する照明光量の変動が抑制される。集光体に遮光用溝を設ける場合には、型を用いて集光体を成型する場合に遮光用溝を同時に成型することができ、又は、集光体を形成した後に溝加工により遮光用溝を形成することができる。
【００１４】
請求項３記載の発明は、請求項２記載の照明装置において、前記遮光用溝は、前記点光源の配列方向に対して直交する面内に設けられている。
【００１５】
したがって、遮光用溝の構造が簡単な構造となり、遮光用溝及び遮光用溝を有する集光体の形成が容易になる。
【００１６】
請求項４記載の発明は、請求項２記載の照明装置において、前記遮光用溝は、前記点光源の配列方向に対して斜めに交差する面内に設けられている。
【００１７】
したがって、請求項２で説明したフレア光の影響による照明対象物に対する照明光量の変動が抑制されることに加え、或る点光源からの照明により照明対象物に写される遮光用溝の影が隣合って位置する他の点光源からの照明光により打ち消される状態となるのでその影が薄くなり、遮光用溝の影が原因となる照明対象物上での点光源の配列方向に沿った方向の光量リップルが緩和される。
【００１８】
請求項５記載の発明は、請求項３又は４の照明装置において、前記遮光用溝は、前記集光体における前記照明対象物に対向する面側に設けられている。
【００１９】
したがって、この遮光用溝により、照明対象物からの照り返し光の進行の規制を効果的に行える。
【００２０】
請求項６記載の発明は、請求項３又は４記載の照明装置において、前記遮光用溝は、前記集光体における前記点光源に対向する面側に設けられている。
【００２１】
したがって、照明対象物に向かうフレア光の進行の規制を効果的に行える。
【００２２】
請求項７記載の発明は、請求項３又は４記載の照明装置において、前記遮光用溝は、前記集光体における前記照明対象物に対向する面側と前記集光体における前記点光源に対向する面側とに設けられている。
【００２３】
したがって、照明対象物からの照り返し光の進行の規制と、照明対象物に向かうフレア光の進行の規制とを効果的に行える。
【００２４】
請求項８記載の発明は、請求項７記載の照明装置において、前記集光体における前記照明対象物に対向する面側に設けられた前記遮光用溝と前記集光体における前記点光源に対向する面側に設けられた前記遮光用溝とが前記点光源の配列方向に沿って位置をずらした異なる面内に設けられている。
【００２５】
したがって、請求項７で説明した作用に加え、２つの遮光用溝が同一面内に位置する場合に比べて、照明対象物に写される２つの遮光用溝の影の重なりが少なくなり、照明対象物上での点光源の配列方向に沿った方向の光量リップルが緩和される。
【００２６】
請求項９記載の発明は、請求項１記載の照明装置において、前記規制部は、前記集光体内における前記点光源の配列方向に沿った位置に設けられた複数の遮光部材である。
【００２７】
したがって、照明対象物からの照り返し光と照明対象物に向かうフレア光との少なくとも一方が遮光部材に当たることによりその進行が規制され、この規制により照明対象物を照明するフレア光が低減され、フレア光の影響による照明対象物に対する照明光量の変動が抑制される。集光体に遮光部材を設ける場合には、二色成型で集光体を成型することにより集光体に遮光部材を設けることができ、又は、集光体を構成する複数の集光体片と遮光部材とを交互に筒状部材内に入れて集光体を組み立てることにより集光体に遮光部材を設けることができる。
【００２８】
請求項１０記載の発明は、請求項９記載の照明装置において、前記遮光部材は、前記点光源の配列方向に対して直交する面内に設けられている。
【００２９】
したがって、遮光部材の構造が簡単な構造となり、遮光部材及び遮光部材を有する集光体の形成が容易になる。
【００３０】
請求項１１記載の発明は、請求項９記載の照明装置において、前記遮光部材は、前記点光源の配列方向に対して斜めに交差する面内に設けられている。
【００３１】
したがって、請求項９で説明したフレア光の影響による照明対象物に対する照明光量の変動が抑制されることに加え、或る点光源からの照明により照明対象物に写される遮光部材の影が隣合って位置する他の点光源からの照明光により打ち消される状態となるのでその影が薄くなり、遮光部材の影が原因となる照明対象物上での点光源の配列方向に沿った方向の光量リップルが緩和される。
【００３２】
請求項１２記載の発明は、請求項１０又は１１記載の照明装置において、前記遮光部材は、一部が前記集光体から前記照明対象物側に向けて突出している。
【００３３】
したがって、この遮光部材により、照明対象物からの照り返し光の進行の規制をより一層効果的に行える。
【００３４】
請求項１３記載の発明は、請求項１記載の照明装置において、前記規制部は、前記集光体内における前記点光源の配列方向に沿った位置に設けられた複数の粗し面部である。
【００３５】
したがって、照明対象物からの照り返し光と照明対象物に向かうフレア光との少なくとも一方が粗し面部に当たることによりその進行が規制され、この規制により照明対象物を照明するフレア光が低減され、フレア光の影響による照明対象物に対する照明光量の変動が抑制される。集光体に粗し面部を設ける場合には、集光体を構成する複数の集光体片の端面に対してサンドブレストやエッチング等の粗し処理を行うことにより粗し面部を設け、この粗し面部を設けた集光体片を筒状部材内に入れて集光体を組み立てることにより集光体に粗し面部を設けることができる。
【００３６】
請求項１４記載の発明は、請求項１３記載の照明装置において、前記粗し面部は、前記点光源の配列方向に対して直交する面内に設けられている。
【００３７】
したがって、粗し面部の構造が簡単な構造となり、粗し面部を有する集光体の形成が容易になる。
【００３８】
請求項１５記載の発明は、請求項１３記載の照明装置において、前記粗し面部は、前記点光源の配列方向に対して斜めに交差する面内に設けられている。
【００３９】
したがって、請求項１３で説明したフレア光の影響による照明対象物に対する照明光量の変動が抑制されることに加え、或る点光源からの照明により照明対象物に写される粗し面部の影が隣合って位置する他の点光源からの照明光により打ち消される状態となるのでその影が薄くなり、粗し面部の影が原因となる照明対象物上での点光源の配列方向に沿った方向の光量リップルが緩和される。
【００４０】
請求項１６記載の発明は、請求項１記載の照明装置において、前記規制部は、前記集光体内における前記点光源の配列方向に沿った位置に設けられた複数の光吸収用塗装面部である。
【００４１】
したがって、照明対象物からの照り返し光と照明対象物に向かうフレア光との少なくとも一方が光吸収用塗装面部に当たることによりその進行が規制され、この規制により照明対象物を照明するフレア光が低減され、フレア光の影響による照明対象物に対する照明光量の変動が抑制される。集光体に光吸収用塗装面部を設ける場合には、集光体を構成する複数の集光体片の端面に対して光吸収性のあるインクなどを塗装することにより光吸収用塗装面部を受け、この光吸収用塗装面部を設けた集光体片を筒状部材内に入れて集光体を組み立てることにより集光体に光吸収用塗装面部を設けることができる。
【００４２】
請求項１７記載の発明は、請求項１６記載の照明装置において、前記光吸収用塗装面部は、前記点光源の配列方向に対して直交する面内に設けられている。
【００４３】
したがって、光吸収用塗装面部の構造が簡単な構造となり、光吸収用塗装面部を有する集光体の形成が容易になる。
【００４４】
請求項１８記載の発明は、請求項１６記載の照明装置において、前記光吸収用塗装面部は、前記点光源の配列方向に対して斜めに交差する面内に設けられている。
【００４５】
したがって、請求項１６で説明したフレア光の影響による照明対象物に対する照明光量の変動が抑制されることに加え、或る点光源からの照明により照明対象物に写される光吸収用塗装面部の影が隣合って位置する他の点光源からの照明光により打ち消される状態となるのでその影が薄くなり、光吸収用塗装面部の影が原因となる照明対象物上での点光源の配列方向に沿った方向の光量リップルが緩和される。
【００４６】
請求項１９記載の発明は、請求項１記載の照明装置において、前記規制部は、前記集光体の前記照明対象物に対向する面上に位置付けられ、前記点光源の配列方向に沿って配列された複数のリブを有するリブ構造体である。
【００４７】
したがって、照明対象物からの照り返し光と照明対象物に向かうフレア光との少なくとも一方がリブ構造体のリブに当たることによりその進行が規制され、この規制により照明対象物を照明するフレア光が低減され、フレア光の影響による照明対象物に対する照明光量の変動が抑制される。
【００４８】
請求項２０記載の発明は、請求項１９記載の照明装置において、前記リブ構造体の前記リブは、前記点光源の配列方向に対して直交する面内に設けられている。
【００４９】
したがって、リブ構造体の構造が簡単な構造となり、構造が簡単で安価なリブ構造体を用いることが可能となる。
【００５０】
請求項２１記載の発明は、請求項１９記載の照明装置において、前記リブ構造体の前記リブは、前記点光源の配列方向に対して斜めに交差する面内に設けられている。
【００５１】
したがって、請求項１９で説明したフレア光の影響による照明対象物に対する照明光量の変動が抑制されることに加え、或る点光源からの照明により照明対象物に写されるリブの影が隣合って位置する他の点光源からの照明光により打ち消される状態となるのでその影が薄くなり、リブ構造体の影が原因となる照明対象物上での点光源の配列方向に沿った方向の光量リップルが緩和される。
【００５２】
請求項２２記載の発明は、請求項２０又は２１記載の照明装置において、前記リブ構造体は、前記集光体と一体化させて形成されている。
【００５３】
したがって、集光体とリブ構造体とが一体化されているため、組み立て時における集光体とリブ構造体との位置合わせが不要となり、取り扱い性、組み立て性が向上する。
【００５４】
請求項２３記載の発明の画像読取装置は、照明対象物である原稿を照明する請求項１ないし２２のいずれか一記載の照明装置と、原稿からの反射光を読み取る光電変換素子と、を具備する。
【００５５】
したがって、この画像読取装置によれば、照明対象物である原稿上ではフレア光の影響による照明光量の変動が抑制され、フレア光の影響による画像読取の精度低下が抑制される。
【００５６】
請求項２４記載の発明の画像形成装置は、請求項２３記載の画像読取装置と、この画像読取装置で読み取った画像データに応じて記録媒体上に画像を形成する画像形成部と、を具備する。
【００５７】
したがって、この画像形成装置によれば、請求項２３記載の画像読取装置によってフレア光の影響を抑制した画像読取が行われるので、フレア光の影響を抑制した画像形成が行われる。
【発明の効果】
【００５８】
請求項１記載の発明の照明装置によれば、照明対象物からの照り返し光と照明対象物に向かうフレア光との少なくとも一方の進行が点光源の配列方向に沿った位置で規制部により規制されるので、この規制により照明対象物を照明するフレア光を低減させることができ、フレア光の影響による照明対象物に対する照明光量の変動を抑制できる。
【００５９】
請求項２記載の発明によれば、請求項１記載の照明装置において、前記規制部は、前記集光体における前記点光源の配列方向に沿った位置に設けられた複数の遮光用溝であるので、照明対象物からの照り返し光と照明対象物に向かうフレア光との少なくとも一方が遮光溝に当たることによりその進行が規制されるので、この規制により照明対象物を照明するフレア光を低減させることができ、フレア光の影響による照明対象物に対する照明光量の変動を抑制できる。
【００６０】
請求項３記載の発明によれば、請求項２記載の照明装置における前記遮光用溝が、前記点光源の配列方向に対して直交する面内に設けられているので、遮光用溝の構造が簡単な構造となり、遮光用溝及び遮光用溝を有する集光体の形成を容易に行うことができる。
【００６１】
請求項４記載の発明によれば、請求項２記載の照明装置における前記遮光用溝が、前記点光源の配列方向に対して斜めに交差する面内に設けられているので、フレア光の影響による照明対象物に対する照明光量の変動を抑制できることに加え、照明対象物に写される遮光用溝の影が原因となる照明対象物上での点光源の配列方向に沿った方向の光量リップルを緩和できる。
【００６２】
請求項５記載の発明によれば、請求項３又は４記載の照明装置における前記遮光用溝が、前記集光体における照明対象物に対向する面側に設けられているので、この遮光用溝により、照明対象物からの照り返し光の進行の規制を効果的に行うことができる。
【００６３】
請求項６記載の発明によれば、請求項３又は４記載の照明装置における遮光用溝が、前記集光体における前記点光源に対向する面側に設けられているので、照明対象物に向かうフレア光の進行の規制を効果的に行うことができる。
【００６４】
請求項７記載の発明によれば、請求項３又は４記載の照明装置における前記遮光用溝が、前記集光体における照明対象物に対向する面側と前記集光体における前記点光源に対向する面側とに設けられているので、照明対象物からの照り返し光の進行の規制と、照明対象物に向かうフレア光の進行の規制とを効果的に行うことができる。
【００６５】
請求項８記載の発明によれば、請求項７記載の照明装置における前記遮光用溝であって、前記集光体における照明対象物に対向する面側に設けられた前記遮光用溝と前記集光体における前記点光源に対向する面側に設けられた前記遮光用溝とが前記点光源の配列方向に沿って位置をずらした異なる面内に設けられているので、請求項７で説明した効果に加え、２つの遮光用溝が同一面内に位置する場合に比べて照明対象物上での点光源の配列方向に沿った方向の光量リップルを緩和できる。
【００６６】
請求項９記載の発明によれば、請求項１記載の照明装置において、前記規制部は、前記集光体内における前記点光源の配列方向に沿った位置に設けられた複数の遮光部材であるので、照明対象物からの照り返し光と照明対象物に向かうフレア光との少なくとも一方が遮光部材に当たることによりその進行が規制されるので、この規制により照明対象物を照明するフレア光を低減させることができ、フレア光の影響による照明対象物に対する照明光量の変動を抑制できる。
【００６７】
請求項１０記載の発明によれば、請求項９記載の照明装置における前記遮光部材が、前記点光源の配列方向に対して直交する面内に設けられているので、遮光部材の構造が簡単な構造となり、遮光部材及び遮光部材を有する集光体の形成を容易に行うことができる。
【００６８】
請求項１１記載の発明によれば、請求項９記載の照明装置における前記遮光部材が、前記点光源の配列方向に対して斜めに交差する面内に設けられているので、フレア光の影響による照明対象物に対する照明光量の変動を抑制できることに加え、照明対象物に写される遮光部材の影が原因となる照明対象物上での点光源の配列方向に沿った方向の光量リップルを緩和できる。
【００６９】
請求項１２記載の発明によれば、請求項１０又は１１記載の照明装置における前記遮光部材の一部が前記集光体から前記照明対象物側に向けて突出しているので、この遮光部材により、照明対象物からの照り返し光の進行の規制を効果的に行うことができる。
【００７０】
請求項１３記載の発明によれば、請求項１記載の照明装置において、前記規制部は、前記集光体内における前記点光源の配列方向に沿った位置に設けられた複数の粗し面部であるので、照明対象物からの照り返し光と照明対象物に向かうフレア光との少なくとも一方が粗し面部に当たることによりその進行が規制され、この規制により照明対象物を照明するフレア光を低減させることができ、フレア光の影響による照明対象物に対する照明光量の変動を抑制できる。
【００７１】
請求項１４記載の発明によれば、請求項１３記載の照明装置における前記粗し面部が、前記点光源の配列方向に対して直交する面内に設けられているので、粗し面部の構造が簡単な構造となり、粗し面部を有する集光体の形成を容易に行うことができる。
【００７２】
請求項１５記載の発明によれば、請求項１３記載の照明装置における前記粗し面部が、前記点光源の配列方向に対して斜めに交差する面内に設けられているので、フレア光の影響による照明対象物に対する照明光量の変動を抑制できることに加え、照明対象物に写される粗し面部の影が原因となる照明対象物上での点光源の配列方向に沿った方向の光量リップルを緩和できる。
【００７３】
請求項１６記載の発明によれば、請求項１記載の照明装置において、前記規制部は、前記集光体内における前記点光源の配列方向に沿った位置に設けられた複数の光吸収用塗装面部であるので、照明対象物からの照り返し光と照明対象物に向かうフレア光との少なくとも一方が光吸収用塗装面部に当たることによりその進行が規制され、この規制により照明対象物を照明するフレア光を低減させることができ、フレア光の影響による照明対象物に対する照明光量の変動を抑制できる。
【００７４】
請求項１７記載の発明によれば、請求項１６記載の照明装置における前記光吸収用塗装面部が、前記点光源の配列方向に対して直交する面内に設けられているので、光吸収用塗装面部の構造が簡単な構造となり、光吸収用塗装面部を有する集光体の形成を容易に行うことができる。
【００７５】
請求項１８記載の発明によれば、請求項１６記載の照明装置における前記光吸収用塗装面部が、前記点光源の配列方向に対して斜めに交差する面内に設けられているので、フレア光の影響による照明対象物に対する照明光量の変動を抑制できることに加え、照明対象物に写される光吸収用塗装面部の影が原因となる照明対象物上での点光源の配列方向に沿った方向の光量リップルを緩和できる。
【００７６】
請求項１９記載の発明によれば、請求項１記載の照明装置において、前記規制部は、前記集光体の前記照明対象物に対向する面上に位置付けられ、前記点光源の配列方向に沿って配列された複数のリブを有するリブ構造体であるので、照明対象物からの照り返し光と照明対象物に向かうフレア光との少なくとも一方がリブ構造体のリブに当たることによりその進行が規制されるので、この規制により照明対象物を照明するフレア光を低減させることができ、フレア光の影響による照明対象物に対する照明光量の変動を抑制できる。
【００７７】
請求項２０記載の発明によれば、請求項１９記載の照明装置における前記リブ構造体の前記リブが、前記点光源の配列方向に対して直交する面内に設けられているので、リブ構造体の構造が簡単な構造となり、構造が簡単で安価なリブ構造体を用いることができる。
【００７８】
請求項２１記載の発明によれば、請求項１９記載の照明装置における前記リブ構造体の前記リブが、前記点光源の配列方向に対して斜めに交差する面内に設けられているので、フレア光の影響による照明対象物に対する照明光量の変動を抑制できることに加え、照明対象物に写されるリブの影が原因となる照明対象物上での点光源の配列方向に沿った方向の光量リップルを緩和できる。
【００７９】
請求項２２記載の発明によれば、請求項２０又は２１記載の照明装置における前記リブ構造体が前記集光体と一体化させて形成されているので、組み立て時における集光体とリブ構造体との位置合わせが不要となり、取り扱い性、組み立て性を向上させることができる。
【００８０】
請求項２３記載の発明の画像読取装置によれば、照明対象物である原稿を照明する請求項１ないし２２のいずれか一記載の照明装置を備えるので、原稿上でのフレア光の影響による照明光量の変動を抑制することができ、フレア光の影響による画像読取の精度低下を抑制して安定した画像読取を行うことができる。
【００８１】
請求項２４記載の発明の画像形成装置によれば、請求項２３記載の画像読取装置を備えるので、フレア光の影響を抑制した画像読取結果に応じた画像形成動作を行うことができる。
【発明を実施するための最良の形態】
【００８２】
本発明の第１の実施の形態を図１ないし図４に基づいて説明する。図１は本発明が適用される画像形成装置であるフルカラーの複写機１の内部構造を示す概略正面図である。
【００８３】
複写機１の装置本体２内の中央部にはカラー画像を形成するための画像形成部３が設けられている。この画像形成部３は、等間隔に離間させて水平向きに並列に配設された４つのドラム状の感光体４、感光体４の外周面を一様に帯電する帯電ローラ５、帯電ローラ５により帯電された各感光体４の外周面を画像データに応じて露光することにより静電潜像を形成する露光装置６、静電潜像にトナーを供給することにより静電潜像をトナー像として顕像化する現像装置７、感光体４上のトナー像が順次転写される中間転写ベルト８、中間転写ベルト８上へのトナー像の転写後に感光体４上に残留したトナーを除去するクリーニング装置９、中間転写ベルト８上に転写されたトナー像を記録媒体Ｓに転写させる転写ローラ１０等により構成されている。なお、４つの感光体４上にはそれぞれ異なる色のトナー像（Ｙ；イエロー、Ｍ；マゼンタ、Ｃ；シアン、Ｂ；ブラック）が形成され、これらの各色のトナー像が中間転写ベルト８上に転写されることにより、中間転写ベルト８上ではカラーのトナー像が形成され、このカラーのトナー像が記録媒体Ｓに転写される。
【００８４】
装置本体２の上部には、後述する照明装置により照明される照明対象物である原稿Ｄを自動送りするＡＤＦ１１と、後述する照明装置により照明される原稿Ｄが載置されるコンタクトガラス１２と、ＡＤＦ１１で自動送りされた原稿又はコンタクトガラス１２上に載置された原稿を読取る画像読取装置１３とが配置されている。
【００８５】
画像読取装置１３は、コンタクトガラス１２と平行に２：１の速度で走行可能な第１・第２走行体１４，１５、レンズ１６、光電変換素子（ＣＣＤ）１７等により構成されている。第１走行体１４には、コンタクトガラス１２上に載置された原稿Ｄ、又は、ＡＤＦ１１で搬送される原稿Ｄを照明するための照明装置１８と、原稿Ｄで反射されて読取光軸に沿って進行する読取光を反射させる第１ミラー１９とが搭載されている。第２走行体１５には、第１ミラー１９で反射された光をさらに反射させる第２ミラー２０と第３ミラー２１とが搭載されている。第１〜第３ミラー１９，２０，２１で順次反射された読取光の進行方向前方には、レンズ１６とＣＣＤ１７とが配置されている。
【００８６】
装置本体２の下部には、記録媒体Ｓを収納する複数段、例えば４段の用紙カセット２４が設けられている。これらの用紙カセット２４内に収納された記録媒体Ｓはピックアップローラ２５とフィードローラ２６とにより一枚ずつ分離給紙され、分離給紙された記録媒体Ｓは装置本体２内に設けられた用紙搬送路２７に沿って搬送される。この用紙搬送路２７上には、レジストローラ２８、転写ローラ１０、定着装置２９、排紙ローラ３０等が配置されている。
【００８７】
このような構成において、この複写機１による画像形成動作は、以下のようにして行われる。
【００８８】
まず、コンタクトガラス１２上に載置され、又は、ＡＤＦ１１により自動送りされる原稿Ｄの画像が画像読取装置１３により読み取られる。その読取結果に応じて露光装置６の半導体レーザから各色（イエローＹ、マゼンタＭ、シアンＣ、ブラックＢ）の画像データに応じたレーザ光が出射され、そのレーザ光が帯電ローラ５により一様に帯電された各感光体４の外周面を露光することにより静電潜像が形成される。この静電潜像に対して各現像装置７から各色のトナーが供給されることにより、各色のトナー像が形成される。各感光体４上のトナー像は、感光体４と同期して移動する中間転写ベルト８上に順次転写され、中間転写ベルト８上にはカラートナー像が形成される。
【００８９】
一方、画像形成部３での画像形成動作の開始と相前後して用紙カセット２４内から記録媒体Ｓの分離給紙が開始され、分離給紙されて用紙搬送路２７上を搬送された記録媒体Ｓは間歇的に回転駆動するレジストローラ２８によりタイミングをとられ中間転写ベルト８と転写ローラ１０との間の転写位置に送り込まれる。
【００９０】
記録媒体Ｓが中間転写ベルト８と転写ローラ１０との間の転写位置に送り込まれることにより、中間転写ベルト８上のカラートナー像が記録媒体Ｓ上に転写される。カラートナー像が転写された記録媒体Ｓは引き続き用紙搬送路２７上を搬送され、記録媒体Ｓが定着装置２９を通過する過程でカラートナー像が記録媒体Ｓに定着される。カラートナー像が定着された記録媒体Ｓは排紙ローラ３０によって排紙トレイ３１上に排紙される。
【００９１】
このような構成の下、本実施の形態の特徴的部分について説明する。
【００９２】
図２は、第１走行体１４に搭載されている照明装置１８と第１ミラー１９とを示す正面図である。図３は、照明装置１８を示す分解斜視図である。照明装置１８は、複数の点光源であるＬＥＤ３２、集光体３３、反射板３４、遮光板３５等により形成されている。
【００９３】
ＬＥＤ３２は、長尺状の基板３６上に等間隔で直線状に配置され、複数のＬＥＤ３２が画像読取時における主走査方向に沿って配列される向きに基板３６が位置付けられている。
【００９４】
集光体３３は、透明な樹脂（アクリル、ポリカーボネート等）やガラスを材料として形成されており、ＬＥＤ３２から原稿Ｄに向けて出射される光の出射方向前方に配置され、ＬＥＤ３２から拡散して出射された光を原稿Ｄに向けてライン状に集光する形状に形成されている。集光される光のライン方向は、ＬＥＤ３２の配列方向に沿った方向であり、画像読読取時における主走査方向である。また、この集光体３３は、ＬＥＤ３２に対して位置固定となるように基板３６に対して直接又は間接に固定されている。
【００９５】
反射板３４は、基板３６及び集光体３３とほぼ同じ長さを有して集光体３３に対向する側が凹面となる放物面形状に形成され、凹面を集光体３３の長手方向側面に対向させて配置されている。
【００９６】
集光体３３における原稿Ｄに対向する面側には、規制部である遮光用溝３７が複数設けられている。これらの遮光用溝３７は、ＬＥＤ３２の配列方向（集光体３３の長手方向）に沿ってＬＥＤ３２のピッチと同じピッチで配列され、かつ、隣合う２つのＬＥＤ３２の中間に１つの遮光用溝３７が配置されている。また、これらの遮光用溝３７は、ＬＥＤ３２の配列方向に対して直交する面内に設けられている。
【００９７】
遮光用溝３７の形成に関しては、金型を用いて集光体３３を射出成型する場合には、遮光用溝３７を形成するための凸部を備えた金型を用いることにより、集光体３３の成型時に遮光用溝３７を同時に形成することができる。又は、集光体３３を形成した後、集光体３３に溝加工を施すことにより遮光用溝３７を形成することもできる。
【００９８】
遮光用溝３７は、ＬＥＤ３２から出射された後に集光体３３を透過して原稿Ｄを照明した光が原稿Ｄで反射されて照り返し光（反射光）Ｌ１となったとき、この照り返し光Ｌ１の進行を規制するように機能する。
【００９９】
このような構成において、図４は、ＬＥＤ３２から拡散して出射された光が集光体３３を透過して原稿Ｄを照明し、原稿Ｄから照り返し光Ｌ１が発生した様子を示している。
【０１００】
原稿Ｄで反射された照り返し光Ｌ１の大部分は、集光体３３内に入り込んだ後に遮光用溝３７に当たり、遮光用溝３７に当たった照り返し光Ｌ１は拡散されてその進行が規制される。これにより、原稿Ｄで反射された照り返し光Ｌ１が集光体３３内で再反射されて原稿Ｄを照明するフレア光になることを規制することができ、フレア光が大幅に低減される。このため、フレア光の影響による原稿Ｄに対する照明光量の変動が抑制され、原稿Ｄが白っぽい場合であってもフレア光が多量に発生するということがない。したがって、原稿ＤにおけるＬＥＤ３２の配列方向（画像読取の主走査方向）が白っぽい場合でも黒っぽい場合でもフレア光の影響を受けることなく原稿Ｄの読取精度が向上し、精度の高い読取結果に応じて画像形成部３で画像形成が行われることにより記録媒体Ｓ上に形成される画像の品質が向上する。
【０１０１】
本発明の第２の実施の形態を図５及び図６に基づいて説明する。なお、図１ないし図４において説明した部分と同じ部分は同じ符号で示し、説明も省略する（以下の実施の形態でも同じ）。図５は照明装置４０を示す分解斜視図、図６は照明装置４０の一部を示す平面図である。
【０１０２】
本実施の形態の基本的構造は第１の実施の形態と同じであり、本実施の形態と第１の実施の形態とが異なる点は、照明装置４０の構造である。本実施の形態の照明装置４０は、第１の実施の形態の照明装置１８と同じように、複数の点光源であるＬＥＤ３２、集光体３３、反射板３４、遮光板３５等により形成され、集光体３３における原稿Ｄに対向する面側には規制部である遮光用溝４１が複数設けられている。これらの遮光用溝４１は、ＬＥＤ３２の配列方向（集光体３３の長手方向）に沿ってＬＥＤ３２のピッチと同じピッチで配列され、かつ、隣合う２つのＬＥＤ３２の中間に１つの遮光用溝３７が位置するように位置付けられているが、第１の実施の形態の遮光用溝３７と異なり、ＬＥＤ３２の配列方向に対して斜めに交差する面内に設けられている。
【０１０３】
遮光用溝４１の形成に関しては、第１の実施の形態で説明した場合と同じであり、金型を用いて集光体３３を射出成型する場合には、遮光用溝４１を形成するための凸部を備えた金型を用いることにより集光体３３の成型時に遮光用溝４１を同時に形成することができる。又は、集光体３３を形成した後、集光体３３に溝加工を施すことにより遮光用溝４１を形成することもできる。
【０１０４】
遮光用溝４１は第１の実施の形態の遮光用溝３７と同じ機能を有し（図４参照）、ＬＥＤ３２から出射された後に集光体３３を透過して原稿Ｄに照明した光が原稿Ｄで反射されて照り返し光（反射光）Ｌ１となったとき、この照り返し光Ｌ１の進行を規制するように機能する。
【０１０５】
このような構成において、原稿Ｄで反射された照り返し光Ｌ１の大部分は、集光体３３内に入り込んだ後に遮光用溝４１に当たり、遮光用溝４１に当たった照り返し光Ｌ１は拡散されてその進行が規制される（図４参照）。これにより、原稿Ｄで反射された照り返し光Ｌ１が集光体３３内で再反射されて原稿Ｄを照明するフレア光になることが規制され、フレア光が大幅に低減される。このため、フレア光の影響による原稿Ｄに対する照明光量の変動が抑制され、原稿Ｄが白っぽい場合であってもフレア光が多量に発生するということがない。したがって、原稿ＤにおけるＬＥＤ３２の配列方向（画像読取の主走査方向）が白っぽい場合でも黒っぽい場合でもフレア光の影響を受けることなく原稿Ｄの読取精度が向上し、精度の高い読取結果に応じて画像形成部３で画像形成が行われることにより記録媒体Ｓ上に形成される画像の品質が向上する。
【０１０６】
さらに、本実施の形態では、遮光用溝４１がＬＥＤ３２の配列方向に対して斜めに交差する面内に設けられているので、或るＬＥＤ３２からの照明により原稿Ｄに写される遮光用溝４１の影が隣合って位置する他のＬＥＤ３２からの照明光により打ち消される状態となり、隣合った２つのＬＥＤ３２からの照明により原稿Ｄに写される遮光用溝４１の影が原稿Ｄ上で重なり合わなくなる。これにより、原稿Ｄ上での遮光用溝４１の影が薄くなり、遮光用溝４１の影が原因となる原稿Ｄ上でのＬＥＤ３２の配列方向に沿った方向の光量リップルが緩和される。
【０１０７】
本発明の第３の実施の形態を図７に基づいて説明する。本実施の形態の基本的構造は第１の実施の形態と同じであり、本実施の形態と第１の実施の形態とが異なる点は、照明装置４２の構造である。本実施の形態の照明装置４２は、第１の実施の形態の照明装置１８と同じように、複数の点光源であるＬＥＤ３２、集光体３３、反射板３４、遮光板３５等により形成され、集光体３３には規制部である遮光用溝４３が複数設けられている。これらの遮光用溝４３は、ＬＥＤ３２の配列方向（集光体３３の長手方向）に沿ってＬＥＤ３２のピッチと同じピッチで配列され、かつ、隣合う２つのＬＥＤ３２の中間に１つの遮光用溝３３が位置するように位置付けられ、さらに、ＬＥＤ３２の配列方向に対して直交する面内に設けられている。しかし、第１の実施の形態の遮光用溝３７と異なり、遮光用溝４３は、集光体３３におけるＬＥＤ３２に対向する面側に設けられている。
【０１０８】
遮光用溝４３の形成に関しては、第１の実施の形態で説明した場合と同じであり、金型を用いて集光体３３を射出成型する場合には、遮光用溝４３を形成するための凸部を備えた金型を用いることにより集光体３３の成型時に遮光用溝４３を同時に形成することができる。又は、集光体３３を形成した後、集光体３３に溝加工を施すことにより遮光用溝４３を形成することもできる。
【０１０９】
遮光用溝４３は、ＬＥＤ３２から出射された後に集光体３３を透過して原稿Ｄを照明した光が原稿Ｄで反射されて照り返し光（反射光）Ｌ１となり、この照り返し光Ｌ１が集光体３３内で再反射してフレア光Ｌ２となったとき、このフレア光Ｌ２の進行を規制するように機能する。
【０１１０】
このような構成において、原稿Ｄで反射された照り返し光Ｌ１が集光体３３内で再反射されてフレア光Ｌ２となって原稿Ｄに向かう場合、そのフレア光Ｌ２の大部分は遮光用溝４３に当たり、遮光用溝４３に当たったフレア光Ｌ２は拡散されてその進行が規制される。これにより、原稿Ｄを照明するフレア光Ｌ２が大幅に低減される。このため、フレア光Ｌ２の影響による原稿Ｄに対する照明光量の変動が抑制され、原稿Ｄが白っぽい場合であってもフレア光が多量に発生するということがない。したがって、原稿ＤにおけるＬＥＤ３２の配列方向（画像読取の主走査方向）が白っぽい場合でも黒っぽい場合でもフレア光の影響を受けることなく原稿Ｄの読取精度が向上し、精度の高い読取結果に応じて画像形成部３で画像形成が行われることにより記録媒体Ｓ上に形成される画像の品質が向上する。
【０１１１】
なお、本実施の形態では、遮光用溝４３をＬＥＤ３２の配列方向に対して直交する面内に設けた場合を例に挙げて説明したが、第２の実施の形態で説明したように、遮光用溝４３をＬＥＤ３２の配列方向に対して斜めに交差する面内に設けてもよい。その場合には、或るＬＥＤ３２からの照明により原稿Ｄに写される遮光用溝４３の影が隣合って位置する他のＬＥＤ３２からの照明光により打ち消される状態となり、隣合った２つのＬＥＤ３２からの照明により原稿Ｄに写される遮光用溝４３の影が原稿Ｄ上で重なり合わなくなる。これにより、原稿Ｄ上での遮光用溝４３の影が薄くなり、遮光用溝４３の影が原因となる原稿Ｄ上でのＬＥＤ３２の配列方向に沿った方向の光量リップルが緩和される。
【０１１２】
本発明の第４の実施の形態を図８に基づいて説明する。本実施の形態の照明装置４４では、集光体３３における原稿Ｄに対向する面側に遮光用溝３７が設けられ、さらに、集光体３３におけるＬＥＤ３２に対向する面側にも遮光用溝４３が設けられている。
【０１１３】
したがって、原稿Ｄからの照り返し光Ｌ１の進行の規制（図４参照）と、原稿Ｄに向かうフレア光Ｌ２の進行の規制（図７参照）とを行える。このため、フレア光の影響による原稿Ｄに対する照明光量の変動が抑制され、原稿Ｄが白っぽい場合であってもフレア光が多量に発生するということがない。したがって、原稿ＤにおけるＬＥＤ３２の配列方向（画像読取の主走査方向）が白っぽい場合でも黒っぽい場合でもフレア光の影響を受けることなく原稿Ｄの読取精度が向上し、精度の高い読取結果に応じて画像形成部３で画像形成が行われることにより記録媒体Ｓ上に形成される画像の品質が向上する。
【０１１４】
本発明の第５の実施の形態を図９に基づいて説明する。本実施の形態の照明装置４５では、第４の実施の形態と同じように集光体３３における原稿Ｄに対向する面側に位置する遮光用溝３７と、集光体３３におけるＬＥＤ３２に対向する面側に位置する遮光用溝４３とが設けられている。これらの遮光用溝３７、４３は、ＬＥＤ３２の配列方向に沿って位置をずらした異なる面内に設けられている。
【０１１５】
したがって、本実施の形態では、第４の実施の形態で説明したように、原稿Ｄからの照り返し光Ｌ１の進行の規制（図４参照）と、原稿Ｄに向かうフレア光Ｌ２の進行の規制（図７参照）とを行えるので、原稿ＤにおけるＬＥＤ３２の配列方向（画像読取の主走査方向）が白っぽい場合でも黒っぽい場合でもフレア光の影響を受けることなく原稿Ｄの読取精度が向上し、精度の高い読取結果に応じて画像形成部３で画像形成が行われることにより記録媒体Ｓ上に形成される画像の品質が向上する。
【０１１６】
さらに、２つの遮光用溝３７、４３が同一面内に位置する場合に比べて、原稿Ｄに写される２つの遮光用溝３７，４３の影の重なりが少なくなり、原稿Ｄ上でのＬＥＤ３２の配列方向に沿った方向の光量リップルが緩和される。また、２つの遮光用溝３７、４３が同一面内に位置する場合に比べて遮光用溝３７、４３の高さ寸法を大きく形成することが可能となり、照り返し光Ｌ１とフレア光Ｌ２との進行を規制する作用を高めることができる。
【０１１７】
本実施の形態及び第４の実施の形態において、遮光用溝３７、４３をＬＥＤ３２の配列方向に対して斜めに交差する面内に設けてもよい。
【０１１８】
本発明の第６の実施の形態を図１０及び図１１に基づいて説明する。本実施の形態の基本的構造は第１の実施の形態と同じであり、本実施の形態と第１の実施の形態とが異なる点は、照明装置４６の構造である。本実施の形態の照明装置４６は、第１の実施の形態の照明装置１８と同じように、複数の点光源であるＬＥＤ３２、集光体３３、反射板３４、遮光板３５等により形成され、集光体３３には規制部である遮光部材４７が複数設けられている。これらの遮光部材４７は、ＬＥＤ３２の配列方向（集光体３３の長手方向）に沿ってＬＥＤ３２のピッチと同じピッチで配列され、かつ、隣合う２つのＬＥＤ３２の中間に１つの遮光部材４７が位置するように位置付けられている。遮光部材４７は、集光体３３と同じ材料、又は、線膨張率が近似した他の材料で形成され、遮光性を有する部材である。遮光性を有するようにするためには、着色することが有効である。
【０１１９】
集光体３３に遮光部材４７を設ける場合には、二色成型法を利用することができる。この二色成型とは、３つの金型４８、４９、５０を用いて集光体３３と遮光部材４７とを連続して成型する方法である。まず、図１１（ａ）に示すように、二つの金型４８、４９を接合させた内部に集光体３３となる樹脂をノズル部４９ａから充填し、集光体３３を成型する。このとき使用する一方の金型４９には、遮光部材４７を成型するための凹部５１を成型するための凸部５２が設けられている。凹部５１を有する集光体３３を整形した後、一方の金型４９を外して（図１１（ｂ））、金型４９を外した位置に新たな金型５０を装着する（図１１（ｃ））。この金型５０には、凹部５１に樹脂を充填するための複数のノズル部５３が設けられており、このノズル部５３から射出される樹脂を凹部５１に充填することにより、複数の遮光部材４７が一体に形成された集光体３３を形成することができる。
【０１２０】
この遮光部材４７は、ＬＥＤ３２の配列方向に対して直交する面内に形成してもよく、又は、第２の実施の形態で説明したように、ＬＥＤ３２の配列方向に対して斜めに交差する面内に形成してもよい。
【０１２１】
このような構成において、原稿Ｄで反射された照り返し光Ｌ１（図４参照）の大部分は、集光体３３内に入り込んだ後に遮光部材４７に当たり、遮光部材４７に当たった照り返し光Ｌ１は拡散されてその進行が規制される。これにより、原稿Ｄで反射された照り返し光Ｌ１が集光体３３内で再反射されて原稿Ｄを照明するフレア光になることが規制され、フレア光が大幅に低減される。このため、フレア光の影響による原稿Ｄに対する照明光量の変動が抑制され、原稿Ｄが白っぽい場合であってもフレア光が多量に発生するということがない。したがって、原稿ＤにおけるＬＥＤ３２の配列方向（画像読取の主走査方向）が白っぽい場合でも黒っぽい場合でもフレア光の影響を受けることなく原稿Ｄの読取精度が向上し、精度の高い読取結果に応じて画像形成部３で画像形成が行われることにより記録媒体Ｓ上に形成される画像の品質が向上する。
【０１２２】
本発明の第７の実施の形態を図１２に基づいて説明する。本実施の形態の照明装置５４の基本的構造は第６の実施の形態の照明装置４６と同じあり、集光体３３には規制部である遮光部材５５が複数設けられている。これらの遮光部材５５は、ＬＥＤ３２の配列方向（集光体３３の長手方向）に沿ってＬＥＤ３２のピッチと同じピッチで配列され、かつ、隣合う２つのＬＥＤ３２の中間に１つの遮光部材５５が位置するように位置付けられている。遮光部材５５は、集光体３３と同じ材料、又は、線膨張率が近似した他の材料で形成され、遮光性を有する部材である。遮光性を有するようにするためには、着色することが有効である。本実施の形態の遮光部材５５が第６の実施の形態の遮光部材４７と異なる点は、遮光部材５５の一部が集光体３３より原稿Ｄ側に向けて突出している点である。
【０１２３】
このような構成において、遮光部材５５の一部が集光体３３より原稿Ｄ側に突出しているため、この遮光部材５５は原稿Ｄで反射された照り返し光Ｌ１（図４参照）の進行の規制をより一層効果的に行うことができる。これにより、原稿Ｄで反射された照り返し光Ｌ１が集光体３３内で再反射されて原稿Ｄを照明するフレア光になることがより一層効果的に規制され、フレア光が大幅に低減される。
【０１２４】
本発明の第８の実施の形態を図１３に基づいて説明する。本実施の形態の照明装置５６では、複数の集光体片５７ａを図示しない筒状部材内に入れて組み立てることにより集光体５７が形成され、各集光体片５７ａの間には遮光性を有するシート状の規制部である遮光部材５８が介装されている。本実施の形態の照明装置５６は、集光体片５７ａを組み立てて形成された集光体５７、上述した各実施の形態で説明した複数のＬＥＤ３２、反射板３４、遮光板３５等により形成されている。各集光体片５７ａにおけるＬＥＤ３２の配列方向に沿った方向の面は、ＬＥＤ３２の配列方向に対して直交する面内に位置するように形成されているが、第２の実施の形態で説明したように、ＬＥＤ３２の配列方向に対して斜めに交差する面内に位置するように形成してもよい。
【０１２５】
このような構成において、本実施の形態では、原稿Ｄで反射された照り返し光Ｌ１（図４参照）の大部分は、集光体５７内に入り込んだ後に遮光部材５８に当たり、遮光部材５８に当たった照り返し光Ｌ１は拡散されてその進行が規制される。これにより、原稿Ｄで反射された照り返し光Ｌ１が集光体５７内で再反射されて原稿Ｄを照明するフレア光になることが規制され、フレア光が大幅に低減される。さらに、原稿Ｄで反射された照り返し光Ｌ１が集光体５７内で再反射されてフレア光Ｌ２となって原稿Ｄに向かう場合（図７参照）、そのフレア光Ｌ２の大部分は遮光部材５８に当たり、遮光部材５８に当たったフレア光Ｌ２は拡散されてその進行が規制される。これにより、原稿Ｄを照明するフレア光Ｌ２がより一層低減される。このため、フレア光Ｌ２の影響による原稿Ｄに対する照明光量の変動が抑制され、原稿Ｄが白っぽい場合であってもフレア光が多量に発生するということがない。したがって、原稿ＤにおけるＬＥＤ３２の配列方向（画像読取の主走査方向）が白っぽい場合でも黒っぽい場合でもフレア光の影響を受けることなく原稿Ｄの読取精度が向上し、精度の高い読取結果に応じて画像形成部３で画像形成が行われることにより記録媒体Ｓ上に形成される画像の品質が向上する。
【０１２６】
本実施の形態では、集光体５７における原稿Ｄに対向する面と遮光部材５８における原稿Ｄに対向する端部とが一致するように形成されているが、第７の実施の形態で説明したように、遮光部材５８の一部を集光体５７より原稿Ｄ側に突出させてもよい。この場合には、原稿Ｄで反射された照り返し光Ｌ１の進行の規制をより一層効果的に行うことができる。
【０１２７】
本発明の第９の実施の形態を図１４に基づいて説明する。本実施の形態の照明装置５９の基本的構造は第８の実施の形態の照明装置５６と同じであり、複数の集光体片６０ａを図示しない筒状部材内に入れて組み立てることにより集光体６０が形成され、各集光体片６０ａにおけるＬＥＤ３２の配列方向に沿った方向の端面には、規制部である粗し面部６１が形成されている。この粗し面部６１は、サンドブラストやエッチング等の粗し処理により形成されている。また、この粗し面部６１は、ＬＥＤ３２の配列方向に対して直交する面内に位置するように形成されているが、第２の実施の形態で説明したように、ＬＥＤ３２の配列方向に対して斜めに交差する面内に位置するように形成してもよい。
【０１２８】
このような構成において、本実施の形態では、原稿Ｄで反射された照り返し光Ｌ１（図４参照）の大部分は、集光体６０内に入り込んだ後に粗し面部６１に当たり、粗し面部６１に当たった照り返し光Ｌ１は拡散されてその進行が規制される。これにより、原稿Ｄで反射された照り返し光Ｌ１が集光体６０内で再反射されて原稿Ｄを照明するフレア光になることが規制され、フレア光が大幅に低減される。さらに、原稿Ｄで反射された照り返し光Ｌ１が集光体６０内で再反射されてフレア光Ｌ２となって原稿Ｄに向かう場合（図７参照）、そのフレア光Ｌ２の大部分は粗し面部６１に当たり、粗し面部６１に当たったフレア光Ｌ２は拡散されてその進行が規制される。これにより、原稿Ｄを照明するフレア光Ｌ２がより一層低減される。このため、フレア光Ｌ２の影響による原稿Ｄに対する照明光量の変動が抑制され、原稿Ｄが白っぽい場合であってもフレア光が多量に発生するということがない。したがって、原稿ＤにおけるＬＥＤ３２の配列方向（画像読取の主走査方向）が白っぽい場合でも黒っぽい場合でもフレア光の影響を受けることなく原稿Ｄの読取精度が向上し、精度の高い読取結果に応じて画像形成部３で画像形成が行われることにより記録媒体Ｓ上に形成される画像の品質が向上する。
【０１２９】
本発明の第１０の実施の形態を図１５に基づいて説明する。本実施の形態の照明装置６２の基本的構造は第９の実施の形態の照明装置５９と同じであり、複数の集光体片６３ａを図示しない筒状部材内に入れて組み立てることにより集光体６３が形成され、各集光体片６３ａにおけるＬＥＤ３２の配列方向に沿った方向の端面には、規制部である光吸収用塗装面部６４が形成されている。この光吸収用塗装面部６４は、光吸収性のあるインクなどを塗装することにより形成されている。また、この光吸収用塗装面部６４は、ＬＥＤ３２の配列方向に対して直交する面内に位置するように形成されているが、第２の実施の形態で説明したように、ＬＥＤ３２の配列方向に対して斜めに交差する面内に位置するように形成してもよい。
【０１３０】
このような構成において、本実施の形態では、原稿Ｄで反射された照り返し光Ｌ１（図４参照）の大部分は、集光体６３内に入り込んだ後に光吸収用塗装面部６４に当たり、光吸収用塗装面部６４に当たった照り返し光Ｌ１は拡散されてその進行が規制される。これにより、原稿Ｄで反射された照り返し光Ｌ１が集光体６３内で再反射されて原稿Ｄを照明するフレア光になることが規制され、フレア光が大幅に低減される。さらに、原稿Ｄで反射された照り返し光Ｌ１が集光体６３内で再反射されてフレア光Ｌ２となって原稿Ｄに向かう場合（図７参照）、そのフレア光Ｌ２の大部分は光吸収用塗装面部６４に当たり、光吸収用塗装面部６４に当たったフレア光Ｌ２は拡散されてその進行が規制される。これにより、原稿Ｄを照明するフレア光Ｌ２がより一層低減される。このため、フレア光Ｌ２の影響による原稿Ｄに対する照明光量の変動が抑制され、原稿Ｄが白っぽい場合であってもフレア光が多量に発生するということがない。したがって、原稿ＤにおけるＬＥＤ３２の配列方向（画像読取の主走査方向）が白っぽい場合でも黒っぽい場合でもフレア光の影響を受けることなく原稿Ｄの読取精度が向上し、精度の高い読取結果に応じて画像形成部３で画像形成が行われることにより記録媒体Ｓ上に形成される画像の品質が向上する。
【０１３１】
本発明の第１１の実施の形態を図１６及び図１７に基づいて説明する。本実施の形態の照明装置６５は、複数の点光源であるＬＥＤ３２、集光体６６、複数のリブ６７を有する規制部であるリブ構造体６８、反射板３４、遮光板３５等により形成されている。
【０１３２】
集光体６６は、透明な樹脂（アクリル、ポリカーボネート等）やガラスを材料として形成されており、ＬＥＤ３２から原稿Ｄに向けて出射される光の出射方向前方に配置され、ＬＥＤ３２から拡散して出射された光をＬＥＤ３２の配列方向（画像読取における主走査方向）と直交する方向（画像読取における副走査方向）に向けて集光する形状に形成されている。また、この集光体６６は、ＬＥＤ３２に対して位置固定となるように基板３６に対して直接又は間接に固定されている。
【０１３３】
リブ構造体６８は集光体６６とコンタクトガラス１２（図２参照）との間に配置され、基板３６に対して直接又は間接に固定されている。リブ６７は、ＬＥＤ３２の配列方向（集光体６６の長手方向）に沿ってＬＥＤ３２のピッチと同じピッチで配列され、かつ、隣合う２つのＬＥＤ３２の中間に１つのリブ６７が配置されている。また、これらのリブ６７は、ＬＥＤ３２の配列方向に対して直交する面内に位置するように設けられている。
【０１３４】
このような構成において、原稿Ｄで集光体６５側に向けて反射された照り返し光Ｌ１の大部分は、集光体６５に入り込む前にリブ構造体６８のリブ６７に当たり、リブ６７に当たった照り返し光Ｌ１は拡散されてその進行が規制される。これにより、原稿Ｄで反射された照り返し光Ｌ１が集光体６６内で再反射されて原稿Ｄを照明するフレア光になることが規制され、フレア光が大幅に低減される。このため、フレア光の影響による原稿Ｄに対する照明光量の変動が抑制され、原稿Ｄが白っぽい場合であってもフレア光が多量に発生するということがない。したがって、原稿ＤにおけるＬＥＤ３２の配列方向（画像読取の主走査方向）が白っぽい場合でも黒っぽい場合でもフレア光の影響を受けることなく原稿Ｄの読取精度が向上し、精度の高い読取結果に応じて画像形成部３で画像形成が行われることにより記録媒体Ｓ上に形成される画像の品質が向上する。
【０１３５】
なお、本実施の形態では、リブ６７がＬＥＤ３２の配列方向に対して直交する面内に位置するように設けられているが、このリブ６７を、第２の実施の形態で説明したように、ＬＥＤ３２の配列方向に対して斜めに交差する面内に位置させて設けてもよい。また、リブ構造体６８を集光体６６と一体化させて形成してもよい。このリブ６７を、ＬＥＤ３２の配列方向に対して斜めに交差する面内に位置させて設けた場合には、或るＬＥＤ３２からの照明により原稿Ｄに写されるリブ６７の影が隣合って位置する他のＬＥＤ３２からの照明光により打ち消される状態となり、隣合った２つのＬＥＤ３２からの照明により原稿Ｄに写されるリブ６７の影が原稿Ｄ上で重なり合わなくなる。これにより、原稿Ｄ上でのリブ６７の影が薄くなり、リブ６７の影が原因となる原稿Ｄ上でのＬＥＤ３２の配列方向に沿った方向の光量リップルが緩和される。集光体６６とリブ構造体６８とを一体化した場合には、組み立て時におけるリブ構造体６８と集光体６６（より正確には、集光体６６と一体化されているＬＥＤ３２）との位置合わせが不要となり、取り扱い性、組み立て性が向上する。
【０１３６】
上述した各実施の形態では、ＬＥＤ３２を主走査方向に沿って１列に配列した場合のみについて説明したが、ＬＥＤ３２を主走査方向に沿って２列以上配列した場合も本発明を適用することができる。また、２列以上に配列されたＬＥＤ３２の配列は、各種の配列形状が許容され、例えば、千鳥状配列も許容される。
【０１３７】
また、規制部としての遮光用溝３７、４１や遮光部材４７とＬＥＤ３２との関係は、隣合う２つのＬＥＤ３２の中間に規制部が位置する場合について説明したが、原稿Ｄを照明するフレア光を効果的に遮光できる範囲であれば、ＬＥＤ３２の配列方向に沿った複数のＬＥＤ３２ごとに１つの規制部を位置させるようにしてもよい。規制部の数を少なくすることにより、規制部により遮光される光量が少なくなり、照度をアップできるという利点がある。
【図面の簡単な説明】
【０１３８】
【図１】本発明の第１の実施の形態の複写機の内部構造を示す概略正面図である。
【図２】第１走行体に搭載されている照明装置と第１ミラーとを示す正面図である。
【図３】照明装置を示す分解斜視図である。
【図４】照り返し光の進行を規制する様子を示す側面図である。
【図５】本発明の第２の実施の形態の照明装置を示す分解斜視図である。
【図６】その平面図である。
【図７】本発明の第３の実施の形態におけるフレア光の進行を規制する様子を示す側面図である。
【図８】本発明の第４の実施の形態の照明装置の一部を示す側面図である。
【図９】本発明の第５の実施の形態の照明装置の一部を示す側面図である。
【図１０】本発明の第６の実施の形態の照明装置を示す分解斜視図である。
【図１１】二色成型法により集光体を成型する際の工程図である。
【図１２】本発明の第７の実施の形態の照明装置を示す分解斜視図である。
【図１３】本発明の第８の実施の形態の照明装置を示す分解斜視図である。
【図１４】本発明の第９の実施の形態の照明装置の一部を示す側面図である。
【図１５】本発明の第１０の実施の形態の照明装置の一部を示す側面図である。
【図１６】本発明の第１１の実施の形態の照明装置を示す分解斜視図である。
【図１７】照り返し光の進行を規制する様子を示す側面図である。
【図１８】原稿の主走査方向の全体が白色である場合におけるフレア光の影響による原稿に対する照明光の光量変動を説明する説明図で、（ａ）は側面図、（ｂ）は底面図である。
【図１９】原稿の主走査方向が白色と黒色とが混在している場合におけるフレア光の影響による原稿に対する照明光の光量変動を説明する説明図で、（ａ）は側面図、（ｂ）は底面図である。
【符号の説明】
【０１３９】
３    画像形成部
１３    画像読取装置
１７    光電変換素子
１８    照明装置
３２    点光源
３３    集光体
３７    規制部、遮光用溝
４０    照明装置
４１    規制部、遮光用溝
４２    照明装置
４３    規制部、遮光用溝
４４    照明装置
４５    照明装置
４６    照明装置
４７    規制部、遮光部材
５４    照明装置
５５    規制部、遮光部材
５６    照明装置
５７    集光体
５８    規制部、遮光部材
５９    照明装置
６０    集光体
６１    規制部、粗し面部
６２    照明装置
６３    集光体
６４    規制部、光吸収用塗装面部
６５    照明装置
６６    集光体
６７    リブ
６８    規制部、リブ構造体
【図１】
2005198108.tif 000003
【図２】
2005198108.tif 000004
【図３】
2005198108.tif 000005
【図４】
2005198108.tif 000006
【図５】
2005198108.tif 000007
【図６】
2005198108.tif 000008
【図７】
2005198108.tif 000009
【図８】
2005198108.tif 000010
【図９】
2005198108.tif 000011
【図１０】
2005198108.tif 000012
【図１１】
2005198108.tif 000013
【図１２】
2005198108.tif 000014
【図１３】
2005198108.tif 000015
【図１４】
2005198108.tif 000016
【図１５】
2005198108.tif 000017
【図１６】
2005198108.tif 000018
【図１７】
2005198108.tif 000019
【図１８】
2005198108.tif 000020
【図１９】
2005198108.tif 000021